(57)【要約】【課題】  記録先に指定されている記録媒体装着部に装着された記録媒体において有効な記録方式と、動画記録装置での記録方式が異なっていた場合にも、簡単に動画像データの記録が行える動画記録装置を提供する。【解決手段】  記録媒体を装着するための複数の装着部（１１，１３）と、  前記複数の装着部のうち記録を行うための装着部としての対象装着部を設定する設定手段（１０）と、  前記対象装着部に装着された記録媒体に、所定の記録方式で動画像データを記録するように制御する記録制御手段（１０）と、  前記装着部に装着された記録媒体における有効な記録方式と前記所定の記録方式とが一致するか否かに基づいて、前記対象装着部を自動的に切り替える切替制御手段（Ｓ４０６）とを有することを特徴とする。【選択図】  図４
2011211568.tif 000002
【特許請求の範囲】
【請求項１】
記録媒体を装着するための複数の装着部と、
前記複数の装着部のうち記録を行うための装着部としての対象装着部を設定する設定手段と、
前記対象装着部に装着された記録媒体に、所定の記録方式で動画像データを記録するように制御する記録制御手段と、
前記装着部に装着された記録媒体における有効な記録方式と前記所定の記録方式とが一致するか否かに基づいて、前記対象装着部を自動的に切り替える切替制御手段と
を有することを特徴とする動画記録装置。
【請求項２】
前記装着部に装着された記録媒体における有効な記録方式を変更する変更手段と、
前記装着部に装着された記録媒体における有効な記録方式と前記所定の記録方式とが一致しない場合に、前記変更手段での記録方式の変更を促すガイダンスを表示部に表示するように制御するガイダンス表示手段と
を更に有することを特徴とする請求項１に記載の動画記録装置。
【請求項３】
前記変更手段は、前記記録制御手段が用いる前記所定の記録方式を、前記有効な記録方式として前記装着部に装着された記録媒体に記録することを特徴とする請求項２に記載の動画記録装置。
【請求項４】
前記切替制御手段は、前記対象装着部に装着された記録媒体における有効な記録方式と前記所定の記録方式とが一致せず、前記対象装着部ではない他の装着部に装着された記録媒体における有効な記録方式と前記所定の記録方式とが一致する場合は、前記対象装着部を該他の装着部に切り替えるように制御することを特徴とする請求項１乃至３のいずれか１項に記載の動画記録装置。
【請求項５】
前記切替制御手段は、前記対象装着部に装着されていた記録媒体が外され、前記対象装着部ではない他の装着部に装着された記録媒体における有効な記録方式と前記所定の記録方式とが一致する場合は、前記対象装着部を該他の装着部に切り替えるように制御することを特徴とする請求項１乃至４のいずれか１項に記載の動画記録装置。
【請求項６】
前記切替制御手段は、前記対象装着部に記録媒体が装着されておらず、前記対象装着部ではない他の装着部に装着された記録媒体における有効な記録方式と前記所定の記録方式とが一致する場合は、前記対象装着部を該他の装着部に切り替えるように制御することを特徴とする請求項１乃至５のいずれか１項に記載の動画記録装置。
【請求項７】
複数の記録方式の中から前記所定の記録方式を設定する記録方式設定手段を更に有することを特徴とする請求項１乃至６のいずれか１項に記載の動画記録装置。
【請求項８】
前記記録方式は、動画像データの放送方式であることを特徴とする請求項１乃至７のいずれか１項に記載の動画記録装置。
【請求項９】
撮像手段を更に有し、
前記記録制御手段が記録する動画像データは、前記撮像手段で撮像された動画像データであることを特徴とする請求項１乃至８のいずれか１項に記載の動画記録装置。
【請求項１０】
記録媒体を装着するための複数の装着部を有する動画記録装置の制御方法であって、
前記対象装着部に装着された記録媒体に、所定の記録方式で動画像データを記録するように制御する記録制御ステップと、
前記装着部に装着された記録媒体における有効な記録方式と前記所定の記録方式とが一致するか否かに基づいて、前記複数の装着部のうち記録を行うための装着部として設定された対象装着部を自動的に切り替える切替制御ステップと
を有することを特徴とする動画記録装置の制御方法。
【請求項１１】
記録媒体を装着するための複数の装着部を有するコンピュータを、
前記複数の装着部のうち記録を行うための装着部としての対象装着部を設定する設定手段、
前記対象装着部に装着された記録媒体に、所定の記録方式で動画像データを記録するように制御する記録制御手段、
前記装着部に装着された記録媒体における有効な記録方式と前記所定の記録方式とが一致するか否かに基づいて、前記対象装着部を自動的に切り替える切替制御手段
として機能させるためのプログラム。
【請求項１２】
記録媒体を装着するための複数の装着部を有するコンピュータを、
前記複数の装着部のうち記録を行うための装着部としての対象装着部を設定する設定手段、
前記対象装着部に装着された記録媒体に、所定の記録方式で動画像データを記録するように制御する記録制御手段、
前記装着部に装着された記録媒体における有効な記録方式と前記所定の記録方式とが一致するか否かに基づいて、前記対象装着部を自動的に切り替える切替制御手段
として機能させるためのプログラムを記録したコンピュータが読み取り可能な記録媒体。
【発明の詳細な説明】
【技術分野】
【０００１】
本発明は動画記録装置及びその制御方法に関し、特に、有効な記録方式が定義された記録媒体に動画像データを記録する技術に関するものである。
【背景技術】
【０００２】
現在用いられているテレビジョン放送方式は、日本や北米等において用いられているＮＴＳＣ方式と、中国や西欧等において用いられているＰＡＬ方式と、東欧等において用いられているＳＥＣＡＭ方式とに大別される。ＮＴＳＣ方式とＰＡＬ方式など、複数の放送方式の動画像データが混在して記録されたメディアから動画像データを再生する場合には、再生する動画像データの放送方式に合わせて動画再生装置の放送方式設定を切替える必要がある。動画再生装置の放送方式を切替えるには、一度動画記録装置のリセットを行い立ち上げ直す必要があるために時間がかかる。
【０００３】
あるいは、リセットを行うことなくシームレスに再生するために、動画再生装置の放送方式設定に合わせて放送方式を変換して再生することが考えられる。放送方式を変換する方法として、特許文献１には、ＮＴＳＣ方式とＰＡＬ方式とを相互に変換する画像変換方法が開示されている。しかし、放送方式を変換することは本来の放送方式での再生とは異なるためにタイムコードが不連続になってしまったり、画質が劣化してしまう恐れがある。
【０００４】
再生時に上述のようなリセットや放送方式の変換を行う必要性を減らす方法として、特許文献２では、１つの記録媒体に種々な放送方式の記録コンテンツが混在しないように記録することが提案されている。特許文献２では、記録媒体毎に記録する有効な放送方式を定義し、記録装置は記録媒体に定義された放送方式に合致しない放送方式では記録しないように制御している。
【０００５】
また、特許文献３には、撮像装置に撮像装置に記録媒体が装着された際、記録媒体の記録方式が現在の撮像装置の記録方式の設定と異なっていたら警告をする、あるいは初期化を促すことが開示されている。
【先行技術文献】
【特許文献】
【０００６】
【特許文献１】特開２００２−３６９１５５号公報
【特許文献２】特開２００４−３２８６７３号公報
【特許文献３】特開２００８−０５４２３１号公報
【発明の概要】
【発明が解決しようとする課題】
【０００７】
複数の記録媒体を装着可能な動画記録装置では、動画像データの記録先としてユーザあるいは初期設定によって設定された１つの記録媒体スロットに装着された記録媒体に対して記録を行う。しかしながら、記録先としての記録媒体スロットに装着された記録媒体において有効な記録方式が、動画記録装置での現在の記録方式と一致しない場合、そのスロットの記録媒体には記録できない。そのため、ユーザは別のスロットを記録先に設定し直す操作を行ってから記録を行う必要があり、手間がかかっていた。
【０００８】
本発明では、上記課題を鑑み、記録先に指定されている記録媒体装着部に装着された記録媒体において有効な記録方式と、動画記録装置での記録方式が異なっていた場合にも、簡単に動画像データの記録が行える動画記録装置を提供することを目的とする。
【課題を解決するための手段】
【０００９】
上記課題を解決するために、本発明の動画記録装置は、
記録媒体を装着するための複数の装着部と、
前記複数の装着部のうち記録を行うための装着部としての対象装着部を設定する設定手段と、
前記対象装着部に装着された記録媒体に、所定の記録方式で動画像データを記録するように制御する記録制御手段と、
前記装着部に装着された記録媒体における有効な記録方式と前記所定の記録方式とが一致するか否かに基づいて、前記対象装着部を自動的に切り替える切替制御手段と
を有することを特徴とする。
【発明の効果】
【００１０】
本発明によれば、記録先に指定されている記録媒体装着部に装着された記録媒体において有効な記録方式と、動画記録装置での記録方式が異なっていた場合にも、ユーザに手間をかけることなく簡単に動画像データの記録が行える。
【図面の簡単な説明】
【００１１】
【図１】デジタルビデオカメラ１００のハードウェアブロック図である。
【図２】記録待機中処理のフローチャートである。
【図３】記録媒体無し時処理のフローチャートである。
【図４】記録媒体有り時処理のフローチャートである。
【図５】記録媒体抜き時処理のフローチャートである。
【図６】初期化ガイドの表示例である。
【図７】起動時処理のフローチャートである。
【図８】記録中処理のフローチャートである。
【発明を実施するための形態】
【００１２】
以下、図面を参照して本発明の好適な実施形態を説明する。
【００１３】
＜ハードウェア構成＞
図１に、本発明を適用可能な動画記録装置の構成の一例を示す。図１に示されるように、動画記録装置は、撮像装置であるデジタルビデオカメラ１００（カムコーダ）を用いて構成可能なものである。
【００１４】
図１において、内部バス２４に対して以下の各構成部分が接続される。制御部１０、記録媒体Ｉ／Ｆ１（１１）、記録媒体検出部１（１３）、記録媒体Ｉ／Ｆ２（１２）、記録媒体検出部２（１４）、不揮発性メモリ１７、ＲＡＭ１８、画像処理部１９、撮像部２０、表示部２１、操作部２２、通信Ｉ／Ｆ２３。内部バス２４に接続される各構成部は、内部バス２４を介して互いにデータのやりとりを行うことができるようにされている。
【００１５】
制御部１０は、デジタルビデオカメラ１００のシステム全般を制御するシステム制御部である。制御部１０は不揮発性メモリ１７に記録されたプログラムをＲＡＭ１８に展開して実行することで、各構成部を制御し、後述のフローチャートを実行する。不揮発性メモリ１７は、不揮発性の記録媒体であり、制御部１０が実行するプログラムや、後述する放送方式の設定値などの各種設定値を記憶している。また、不揮発性メモリ１７は、どの着脱可能記録媒体Ｉ／Ｆ（装着部）がカレントスロット（記録または再生の対象となるインタフェース）に設定されているかをバックアップしておくためのメモリとしても用いられる。なお、カレントスロットのことを対象装着部とも称するものとする。制御部１０は、電源がＯＮにされると不揮発性メモリ１７よりバックアップ情報を読み出し、カレントスロットの設定を行う。また、制御部１０は電源がＯＦＦにされるとカレントスロットの設定情報を不揮発性メモリ１７にバックアップとして書き込む。ＲＡＭ１８は制御部１０のワークメモリとして用いられる揮発性の記録媒体である。また、ＲＡＭ１８は撮像部２０で記録された画像データや着脱可能記録媒体１または２から読み出した画像データを、画像処理部１９による画像処理を施すためや、表示部２１で表示するために一時格納するＶＲＡＭとしても用いられる。
【００１６】
デジタルビデオカメラ１００には、画像データを記録するための記録媒体を２つ装着できる。そのため、記録媒体Ｉ／Ｆ１（１１）と記録媒体Ｉ／Ｆ２（１２）の２つのインターフェース（装着部）を有する。各インターフェースはメモリーカード等の着脱可能な記録媒体を挿入可能なスロットになっている。記録媒体Ｉ／Ｆ１（１１）と記録媒体Ｉ／Ｆ２（１２）に対する記録媒体の装着状態はそれぞれ記録媒体検出部１（１３）と記録媒体検出部２（１４）によって装着あるいは抜かれたことが検出可能である。制御部１０は記録媒体検出部１（１３）または記録媒体検出部２（１４）により着脱可能な記録媒体が装着されたことを検出すると、装着された記録媒体に記録されている管理情報ファイルを読み出し、記録可能な動画像データの放送方式を判定する。すなわち、有効な放送方式ががＮＴＳＣ方式となっているかＰＡＬ方式となっているかを判定する。そして、放送方式の判定結果に基づき、制御部１０は記録または再生の対象となるインタフェース（以下カレントスロットと呼ぶ）および対象とならないインタフェース（以下セカンダリスロットと呼ぶ）を決定して設定する。なお、ユーザの操作に基づいてカレントスロットとセカンダリスロットを切り替えることも可能である。図１においては、記録媒体Ｉ／Ｆ１（１１）に着脱可能記録媒体１（１５）が、記録媒体Ｉ／Ｆ２（１２）に着脱可能記録媒体２（１６）が装着されている例を図示している。図示のように複数の着脱可能記録媒体が装着されている場合は、一方の着脱可能記録媒体に動画像データの記録を行っていて記録可能な容量が無くなった場合に、他方の着脱可能記録媒体にリレーして動画像データの記録を継続することが可能である。
【００１７】
画像処理部１９は、撮像部２０で撮像された画像データに、所定の画素補間、縮小といったリサイズ処理や色変換処理を行う。また、画像処理部１９では撮像された画像データを用いて所定の演算処理が行われ、制御部１０は得られた演算結果に基づいて撮像部２０による撮像に関する各種制御（露光制御、オートホワイトバランス制御等）を行う。また、撮像された画像データを圧縮する処理や、読み出した画像データに対するデコード（圧縮されている場合は解凍処理も含む）処理や色変換処理、リサイズ処理等を行う。
【００１８】
撮像部２０は、撮影レンズ（ズームレンズとフォーカスレンズを含む）と撮像素子を有し、制御部１０の制御に基づき被写体を撮像し、静止画像データや動画像データといった画像データを得る。
【００１９】
表示部２１は、制御部１０の制御に基づき、各種設定状態や、撮像部２０で撮像されている画像、着脱可能記録媒体１または２などから読み出して再生した画像等を表示するためのディスプレイである。覗き込み形のファインダー内のディスプレイや、バリアングルの液晶モニタ等として構成される。
【００２０】
操作部２２はデジタルビデオカメラ１００に電源を供給する指示を行うための電源スイッチや、撮影開始ボタン、カメラモード（撮影モード）や再生モードに切り替え可能なモード切替ボタン等を含む、ユーザからの操作を受け付ける操作部である。
【００２１】
通信Ｉ／Ｆ２３は、制御部１０の制御に基づき、ＬＡＮやインターネットといったネットワークや、外部カメラやテレビ受像機、パーソナルコンピュータといった外部機器とのデータの送受信を、有線ケーブルを介して、あるいは無線通信により行う。送受信可能なデータにはデジタル画像データやアナログ映像信号を含む。
【００２２】
映像入出力部２５は、テレビ受像機などの外部モニタやビデオデッキなどの外部機器に映像信号を出力したり、外部機器から映像信号を入力するための入出力部である。
【００２３】
＜放送方式切り替え処理＞
デジタルビデオカメラ１００は、撮像して記録する動画像データの放送方式として、ＮＴＳＣかＰＡＬかのいずれか一方を設定する。現在のどちらに設定されているかは不揮発性メモリ１７およびＲＡＭ１８に記録される。設定操作は、動画の記録中でない状態（カメラモード時の記録待機中や再生モード時）に、メニュー画面を表示した状態で操作部２２を用いて行う。設定を切り替える操作が行われると、放送方式を切り換えるための切り替え処理（記録方式設定処理）が行われる。切り換え処理では以下の処理が行われる。まず、切り換え後の放送方式を現在の設定として不揮発性メモリ１７に記録する。そしてデジタルビデオカメラ１００の電源を一度オフにし、再起動する（リセット処理）。再起動した際、不揮発性メモリから現在設定されている放送方式をＲＡＭ１８に読み出し、読み出した放送方式に従って、ユーザ選択によって設定されているフレームレートを設定する。ここで設定されるフレームレートは、読み出した放送方式がＮＴＳＣであれば６０ｐ／６０ｉ／３０ｐ／２４ｐのいずれか、ＰＡＬであれば５０ｐ／５０ｉ／２５ｐのいずかである。また、読み出した放送方式に従って、ＮＴＳＣであれば動画撮影時のシャッタースピードを１／６０（ｓ）に、ＰＡＬであれば１／５０（ｓ）に設定する。さらに、読み出した放送方式に従って制御部１０の動作クロック周波数を設定する。このような切り替え処理には、数秒程度の時間を要するため、記録する放送方式の切り替えを行うと、ユーザは次の撮影まで数秒待つ必要がある。なお、本実施の形態ではデジタルビデオカメラ１００に設定可能な放送方式をＮＴＳＣかＰＡＬとした例を説明するが、もちろんＳＥＣＡＭなどの他の放送方式を設定可能としても良い。
【００２４】
＜着脱可能記録媒体の初期化処理＞
デジタルビデオカメラ１００は、操作部２２の操作によって呼び出された設定メニューにおいて、記録媒体Ｉ／Ｆ１（１１）あるいは記録媒体Ｉ／Ｆ２（１２）に装着された着脱可能記録媒体を初期化（フォーマット）することができる。フォーマットを行うと、着脱可能記録媒体もしくはそのパーティションをデジタルビデオカメラ１００が採用しているファイルシステムで使用できるように初期化され、記録されていた画像はすべて消去される。そして、制御部１０の制御に基づいて、デジタルビデオカメラ１００で現在設定されている放送方式に合わせた当該着脱可能記録媒体に関する管理情報ファイルを生成し、当該着脱可能記録媒体に記録する。この管理情報ファイルには、当該着脱可能記録媒体に記録可能な動画像データの放送方式（有効な放送方式）が記録されている。着脱可能記録媒体に対するデータの記録や再生の際には、制御部１０は、この管理情報ファイルを参照することで、着脱可能記録媒体に記録可能な動画像データの放送方式を判別し、記録可能でない放送方式の動画像データは記録しないように制御する。このように、記録媒体毎に記録可能な動画像データの放送方式（有効な放送方式）を定義しておくことで、同一の記録媒体に異なる放送方式の動画像データが混在することを防ぐことができる。
【００２５】
デジタルビデオカメラ１００は電源をＯＮとする操作が行われると起動して起動時処理を行う。また、デジタルビデオカメラ１００は起動した状態でカメラモードに切り替えられるか、あるいはカメラモードで起動すると記録待機中処理を行う。記録待機中に記録開始の指示を受け付けると記録中処理を行う。以下、図２〜５を用いて記録待機中に関する処理を、図７を用いて起動時の処理を、図８を用いて記録中の処理を説明する。
【００２６】
＜記録待機中の着脱可能記録媒体に関する処理＞
図２〜図５に本実施形態におけるデジタルカメラ１００の記録待機中の処理のフローチャートを示す。図２〜図５のフローチャートにおける各処理は、制御部１０が不揮発性メモリ１７に格納されたプログラムをＲＡＭ１８に展開して実行することにより実現される。起動した状態でユーザの操作部２２に対する操作によってカメラモードに切り替えられるか、カメラモードで起動されて起動時処理（図７で後述）を終えてジタルビデオカメラ１００が記録待機状態となると図２の記録待機中処理を開始する。記録待機状態とは、着脱可能記録媒体１または２に対する画像データの記録を行うことなく撮像部２０による撮像を行うか、撮像を行う準備を行っている状態である。撮像部２０による撮像を行う場合は、表示部２１に撮像された画像をリアルタイムで表示するスルー表示を行い、ＥＶＦとして用いる。図２の処理は、このような撮像部２０による撮像処理や撮像を行う準備処理、スルー表示処理と並行して行われる。
【００２７】
図２は、記録待機中処理の全体的な処理手順を示したフローチャートである。記録待機中処理を開始するとまず、制御部１０は、Ｓ２０１で、現在カレントスロットに設定されている方の記録媒体Ｉ／Ｆに、着脱可能記録媒体が装着されているか否かを判定する。装着されていないと判定するとＳ２０２に進み、装着されていると判定するとＳ２０３へ進む。Ｓ２０２では、記録媒体無し時処理を行う。この処理の詳細は図３を用いて後述する。Ｓ２０３では、記録媒体有り時処理を行う。この処理の詳細は図４を用いて後述する。続いてＳ２０４では、記録待機が終了したか否かを判定する。記録待機が終了したと判定されるのは例えば以下の場合である。操作部２２に含まれる電源スイッチによって電源をＯＦＦとする操作がされた場合、操作部２２に含まれる撮影開始ボタンによって動画像データの記録開始が指示された場合。操作部２２に含まれるモード切替ボタンによって再生モード等の他のモードに切り替えられる場合、電池の消耗により電源がＯＦＦとなる場合、所定時間以上何の操作もされなかったためオートパワーオフ機能で電源がＯＦＦとなる場合。記録待機が終了していないと判定するとＳ２０１に戻り処理を繰り返し、記録待機が終了したと判定すると記録待機中処理を終了する。
【００２８】
図３は、図２のＳ２０２における記録媒体無し時処理の詳細を示すフローチャートである。Ｓ３０１で、制御部１０は、現在カレントスロットに設定されている方の記録媒体Ｉ／Ｆに、着脱可能記録媒体が装着されたか否かを判定する。装着されたと判定するとＳ３０２に進み、装着されていないと判定すると記録媒体無し時処理を終了し、図２のＳ２０４へ進む。
【００２９】
Ｓ３０２では、デジタルビデオカメラ１００（以下、本体とも称する）に現在設定されている放送方式と、カレントスロットに装着された着脱可能記録媒体に記録可能な放送方式とが一致しているか否かを判定する。本体に現在設定されている放送方式がなんであるかは、ＲＡＭ１８あるいは不揮発性メモリ１７に記録されている現在の設定値を参照する。また、着脱可能記録媒体に記録可能な放送方式は、判定対象の着脱可能記録媒体に記録された管理情報ファイルを読み込み、管理情報ファイルに記録されている放送方式を参照することで判別する。そして両者を比較し、一致しているか否かを判定する。一致していると判定した場合は記録無し時処理を終了し、図２のＳ２０４へ進む。一方、一致していないと判定した場合はＳ３０３へ進み、表示部２１への初期化ガイドの表示を開始する（ガイダンス表示）。初期化ガイドの表示は一定時間（数秒程度）で終了させる。初期化ガイドの表示を開始すると、記録媒体無し時処理を終了し、図２のＳ２０４へ進む。
【００３０】
図６に図３のＳ３０３における初期化ガイドの表示例を示す。表示部２１の表示画面６０１の中に、一致していないと判定された着脱可能記録媒体の管理情報ファイルで定義されている記録可能な放送方式と、当該着脱可能記録媒体の初期化処理を促すガイダンスとしてガイド６０２を表示する。また、現在本体に設定されている放送方式６０３や、その他の情報としてのタイムコードや着脱可能記録媒体に記録可能な残り記録可能時間等を表示する。図６は、現在本体に設定されている放送方式がＮＴＳＣであるが、装着されている着脱可能記録媒体に記録可能な放送方式がＰＡＬであった場合の初期化ガイドの表示例である。現在本体に設定されている放送方式（ＮＴＳＣ）と、着脱可能記録媒体に記録可能な放送方式（ＰＡＬ）とが一致していないため、着脱可能記録媒体を初期化処理し、記録可能な放送方式を現在本体に設定されている方式（ＮＴＳＣ）に合わせることを促している。なお、図３の例ではガイド６０２で着脱可能記録媒体に記録可能な放送方式がＰＡＬであることを表示しているが、現在本体に設定されている放送方式と着脱可能記録媒体に記録可能な放送方式が不一致である旨を表示してもよい。また、表示画面６０１にスルー画像が表示されていた場合はガイド６０２はスルー画像に重畳して表示することが可能である。本体に設定されている放送方式と着脱可能記録媒体に記録可能な放送方式とが異なる場合、このままでは装着された着脱可能記録媒体に動画像データを追記することができず、追記するためには装着された着脱可能記録媒体を初期化する必要がある。しかしながら、初期化を行うと記録されているデータを消去してしまうため、着脱可能記録媒体に消去したくないデータが記録されていた場合はユーザにとって不利益となってしまう。よってＳ３０３では自動的に初期化は行わず、初期化を促すメッセージを表示することに留めている。なお、ガイド６０２とともに当該着脱可能記録媒体の初期化を直ちに行うか否かを問う選択肢を表示し、操作部２２の操作によってユーザが初期化を直ちに行う選択肢を選択した場合には、直ちに初期化処理を行ってもよい。更に、ガイド６０２とともに警告音を出力したり、ＬＥＤ警告ランプを発光させたりしてもよい。
【００３１】
図４は、図２のＳ２０３における記録媒体有り時処理の詳細を示すフローチャートである。Ｓ４０１で、制御部１０は、現在カレントスロットに設定されている方の記録媒体Ｉ／Ｆから、着脱可能記録媒体が抜かれたか否かを判定する。抜かれたと判定するとＳ４０２に進み、抜かれていないと判定するとＳ４０３に進む。
【００３２】
Ｓ４０２では、記録媒体抜き時処理を行う。記録媒体抜き時処理については、図５を用いて後述する。
【００３３】
Ｓ４０３では、本体に現在設定されている放送方式と、カレントスロットに装着された着脱可能記録媒体に記録可能な放送方式とが一致しているか否かを判定する。この処理は、前述したＳ３０２による判定を行ってから着脱可能記録媒体の抜き差し（着脱）や初期化処理、本体の放送方式の設定変更が行われていない場合には、ＲＡＭ１８に保持したＳ３０２での判定結果をそのまま流用する。流用できない場合はＳ３０２で前述した方法と同様の処理によって判定する。一致していないと判定した場合はＳ４０４へ進み、一致していないと判定した場合はＳ４０８へ進む。
【００３４】
Ｓ４０４では、現在セカンダリスロットに設定されている方の記録媒体Ｉ／Ｆに、着脱可能記録媒体が装着されたか否かを判定する。装着されたと判定した場合はＳ４０５に進み、装着されていないと判定した場合は記録媒体有り時処理を終了して図２のＳ２０４へ進む。
【００３５】
Ｓ４０５では、本体に現在設定されている放送方式と、セカンダリスロットに装着された着脱可能記録媒体に記録可能な放送方式とが一致しているか否かを判定する。この判定は、判定対象をセカンダリスロットに装着された着脱可能記録媒体としてＳ３０２で説明した処理と同様の処理をすることによって行われる。一致していると判定した場合はＳ４０６へ進み、一致していないと判定した場合はＳ４０７へ進む。
【００３６】
Ｓ４０６では、カレントスロットを現在のセカンダリスロットに切り替える（切替制御）。すなわち、カレントスロットを現在の記録媒体Ｉ／Ｆから、他方の記録媒体Ｉ／Ｆに切り替える。他方の記録媒体Ｉ／Ｆは、Ｓ４０５で、本体に現在設定されている放送方式での動画像データの記録が可能な着脱可能記録媒体が装着されたことがわかった記録媒体Ｉ／Ｆである。このように、記録可能な放送方式が本体の設定と一致しない着脱可能記録媒体がカレントスロットに装着されている場合に、セカンダリスロットに記録可能な放送方式が本体と一致する着脱可能記録媒体が装着されると、自動的にカレントスロットを切り替える。これによって、ユーザが煩わしい操作をすることなく、本体に現在設定されている放送方式の動画像データを記録可能な着脱可能記録媒体が装着されたスロットをカレントスロットに設定可能である。Ｓ４０６の処理を終えると記録媒体有り時処理を終了し、図２のＳ２０４へ進む。
【００３７】
Ｓ４０７では、セカンダリスロットに装着された着脱可能記録媒体について初期化処理を促す初期化ガイドの表示部２１への表示を開始する。この処理は図３のＳ３０３で説明した処理と同様の処理（ただし対象となる記録媒体Ｉ／Ｆは異なる）である。Ｓ４０７で表示された初期化ガイドは、一定時間（数秒程度）で消去する（非表示とする）。Ｓ４０７で初期化ガイドの表示を開始すると、記録媒体有り時処理を終了し、図２のＳ２０４へ進む。
【００３８】
一方、Ｓ４０８では、現在セカンダリスロットに設定されている方の記録媒体Ｉ／Ｆに、着脱可能記録媒体が装着されたか否かを判定する。装着されたと判定した場合はＳ４０９に進み、装着されていないと判定した場合は記録媒体有り時処理を終了して図２のＳ２０４へ進む。
【００３９】
Ｓ４０９では、本体に現在設定されている放送方式と、セカンダリスロットに装着された着脱可能記録媒体に記録可能な放送方式とが一致しているか否かを判定する。この判定はＳ４０５と同様の処理である。一致していないと判定した場合はＳ４１０へ進み、一致していると判定した場合は記録媒体有り時処理を終了して図２のＳ２０４へ進む。この場合は現在カレントスロットに装着されている着脱可能記録媒体は、本体に設定されている放送方式での動画像データの記録が可能なので、セカンダリスロットに装着された着脱可能記録媒体の放送方式に関わらず、カレントスロットは切り替えない。
【００４０】
Ｓ４１０では、セカンダリスロットに装着された着脱可能記録媒体について初期化処理を促す初期化ガイドの表示部２１への一定時間の表示を開始する。この処理は図３のＳ３０３で説明した処理と同様の処理（ただし対象となる記録媒体Ｉ／Ｆは異なる）である。Ｓ４１０で初期化ガイドの表示を開始すると、記録媒体有り時処理を終了し、図２のＳ２０４へ進む。
【００４１】
図５は、図４のＳ４０２における記録媒体抜き時処理の詳細を示すフローチャートである。Ｓ５０１では、制御部１０は、現在のセカンダリスロットに着脱可能記録媒体が装着されているか否かを判定する。装着されていると判定するとＳ５０２へ進み、装着されていないと判定すると記録媒体抜き時処理を終了し、図２のＳ２０１へ進む。
【００４２】
Ｓ５０２では、本体に現在設定されている放送方式と、セカンダリスロットに装着されている着脱可能記録媒体に記録可能な放送方式とが一致しているか否かを判定する。この判定はＳ４０５と同様の処理である。一致していないと判定した場合は記録媒体抜き時処理を終了して図２のＳ２０１へ進み、一致していると判定した場合はＳ５０３へ進む。
【００４３】
Ｓ５０３では、カレントスロットを現在のセカンダリスロットに切り替える。すなわち、カレントスロットを現在の記録媒体Ｉ／Ｆから、他方の記録媒体Ｉ／Ｆに切り替える。他方の記録媒体Ｉ／Ｆは、Ｓ５０２で、本体に現在設定されている放送方式での動画像データの記録が可能な着脱可能記録媒体が装着されたことがわかった記録媒体Ｉ／Ｆである。このように、カレントスロットから着脱可能記録媒体が抜かれた場合に、セカンダリスロットに記録可能な放送方式が一致する着脱可能記録媒体が装着されていると、自動的にカレントスロットを切り替える。これによって、ユーザが煩わしい操作をすることなく、本体に現在設定されている放送方式の動画像データを記録可能な着脱可能記録媒体が装着されたスロットをカレントスロットに設定可能である。Ｓ５０３の処理を終えると記録媒体抜き時処理を終了し、図４のＳ４０３へ進む。
【００４４】
なお、図２〜５の処理はカメラモードでの記録待機中に行うものとして説明をしたが、他のモード、例えば再生モード中に同様の処理を行っても良い。また、再生モードにおいてはステップＳ３０３で説明したような初期化を促すメッセージは、必ずしも装着されたときに出す必要はない。カメラモードではすばやく記録を開始できるようにするために、なるべく早く初期化を促すことにメリットがあるが、再生モードの場合は必ずしもそうではない。仮に、放送方式の一致しない着脱可能記録媒体が装着されると再生中であっても直ちに初期化ガイドを表示するようにすると、かえって再生している映像の視聴の邪魔になり煩わしい。よって再生モードにおいて初期化ガイドを表示する場合は、インデックス表示や動画再生の一時停止中などの安定状態で行い、動画再生中などでは行わないという処理にするとよい。動画再生中などの安定状態でないタイミングで放送方式の一致しない着脱可能記録媒体が装着された場合は、安定状態になるのを待ってから初期化ガイドを表示すると良い。また、図２〜５の処理はカメラモードで撮像部２０で撮像した画像の記録待機中の処理として説明したがこれに限らない。通信Ｉ／Ｆ２３を介して外部機器から取得した映像データを着脱可能記録媒体に記録可能な場合は、外部機器から取得した映像データの記録待機中に図２〜５と同様の処理を行っても良い。
【００４５】
＜起動時の着脱可能記録媒体に関する処理＞
図７に、デジタルビデオカメラ１００の起動時の処理のフローチャートを示す。図７のフローチャートにおける各処理は、制御部１０が不揮発性メモリ１７に格納されたプログラムをＲＡＭ１８に展開して実行することにより実現される。なお、図７の処理においては起動したときのモードがカメラモードであるか再生モードであるかは問わない。
【００４６】
Ｓ７０１では、制御部１０は、デジタルビデオの電源がＯＦＦとなっている状態で、操作部２２に含まれる電源スイッチの操作などによって電源をＯＮとされたか否かを判定する。ＯＮとされていなければＯＮとされるのを待ち、ＯＮとされるとＳ７０２へ進む。
【００４７】
Ｓ７０２では、不揮発性メモリ１７に記録されたバックアップ情報をＲＡＭ１８に読み出し、どの記録媒体Ｉ／Ｆをカレントスロットに設定していたかを取得して、カレントスロットの設定を行う。
【００４８】
Ｓ７０３では、現在カレントスロットに設定されている方の記録媒体Ｉ／Ｆに、着脱可能記録媒体が装着されているか否かを判定する。装着されていないと判定するとＳ７０６に進み、装着されていると判定するとＳ７０４へ進む。
【００４９】
Ｓ７０４では、本体に現在設定されている放送方式と、カレントスロットに装着された着脱可能記録媒体に記録可能な放送方式とが一致しているか否かを判定する。この処理は、Ｓ３０２で前述した方法と同様の処理によって判定する。一致していないと判定した場合はＳ７０５へ進み、一致していないと判定した場合は起動時処理を終了する。
【００５０】
Ｓ７０５では、カレントスロットに装着された着脱可能記録媒体について初期化処理を促す初期化ガイドの表示部２１への表示を開始する。この処理は図３のＳ３０３で説明した処理と同様の処理である。Ｓ７０５で表示された初期化ガイドは、一定時間（数秒程度）で消去する（非表示とする）。
【００５１】
Ｓ７０６では，現在セカンダリスロットに設定されている方の記録媒体Ｉ／Ｆに、着脱可能記録媒体が装着されているか否かを判定する。装着されていると判定した場合はＳ７０７に進み、装着されていないと判定した場合は起動時処理を終了する。
【００５２】
Ｓ７０７では、本体に現在設定されている放送方式と、セカンダリスロットに装着された着脱可能記録媒体に記録可能な放送方式とが一致しているか否かを判定する。この判定は、判定対象をセカンダリスロットに装着された着脱可能記録媒体としてＳ３０２で説明した処理と同様の処理をすることによって行われる。一致していると判定した場合はＳ７０８へ進み、一致していないと判定した場合はＳ７０９へ進む。
【００５３】
Ｓ７０８では、カレントスロットを現在のセカンダリスロットに切り替える。すなわち、カレントスロットを現在の記録媒体Ｉ／Ｆから、他方の記録媒体Ｉ／Ｆに切り替える。このように、本体に設定されている放送方式で記録可能な着脱可能記録媒体がカレントスロットに装着されていない場合、記録可能な放送方式が一致する着脱可能記録媒体がセカンダリスロットに装着されていると、自動的にカレントスロットを切り替える。これによって、ユーザが煩わしい操作をすることなく、本体に現在設定されている放送方式の動画像データを記録可能な着脱可能記録媒体が装着されたスロットをカレントスロットに設定可能である。Ｓ７０８の処理を終えると起動時処理を終了する。
【００５４】
Ｓ７０９では、セカンダリスロットに装着された着脱可能記録媒体について初期化処理を促す初期化ガイドの表示部２１への表示を開始する。この処理は図３のＳ３０３で説明した処理と同様の処理（ただし対象となる記録媒体Ｉ／Ｆは異なる）である。Ｓ７０８で表示された初期化ガイドは、一定時間（数秒程度）で消去する（非表示とする）。Ｓ７０８で初期化ガイドの表示を開始すると、起動時処理を終了する。
【００５５】
＜動画記録中の着脱可能記録媒体に関する処理＞
図８に、本実施形態におけるにおける着脱可能記録媒体に関する記録中処理のフローチャートを示す。図８のフローチャートにおける各処理は、制御部１０が不揮発性メモリ１７に格納されたプログラムをＲＡＭ１８に展開して実行することにより実現される。制御部１０は、カメラモードで記録待機状態であるときに操作部２２に含まれる撮影開始ボタンの操作などがあると、撮像部２０によって撮像された動画像データのカレントスロットに装着されている着脱可能記録媒体への記録を開始する（記録制御）。この際記録される動画像データの放送方式は、前述の放送方式切り替え処理によってデジタルビデオカメラ１００に設定された放送方式である。動画像データの着脱可能記録媒体への記録が開始されると、制御部１０は動画像データの記録と並行して、図８の処理を開始する。
【００５６】
Ｓ８０１では、制御部１０は、セカンダリスロットに着脱可能記録媒体が装着されたか否かを判定する。セカンダリスロットに着脱可能記録媒体が装着されたと判定した場合はＳ８０２に進み、装着されたと判定されない場合はＳ８０１でセカンダリスロットに着脱可能記録媒体が装着されるのを待つ。装着されたと判定されない場合とは、元々セカンダリスロットに着脱可能記録媒体が装着されていた場合と、着脱可能記録媒体がセカンダリスロットに装着されておらず、新たに装着されたという信号を記録媒体検出部から通知されていない場合である。
【００５７】
Ｓ８０２では、本体に現在設定されている放送方式と、セカンダリスロットに装着された着脱可能記録媒体に記録可能な放送方式とが一致しているか否かを判定する。この判定は、判定対象をセカンダリスロットに装着された着脱可能記録媒体としてＳ３０２で説明した処理と同様の処理をすることによって行われる。一致していると判定した場合はＳ８０４へ進み、一致していないと判定した場合はＳ８０３へ進む。なお、記録中であるということはカレントスロットに現在装着されている着脱可能記録媒体に記録可能な放送方式は本体の現在の設定に一致しているため、Ｓ８０２の判定結果に関わらずカレントスロットの切り替えは不要である。
【００５８】
Ｓ８０３では、セカンダリスロットに装着された着脱可能記録媒体について初期化処理を促す初期化ガイドの表示部２１への表示を開始する。この処理は図３のＳ３０３で説明した処理と同様の処理（ただし対象となる記録媒体Ｉ／Ｆは異なる）である。Ｓ８０３で表示された初期化ガイドは、一定時間（数秒程度）で消去する（非表示とする）。Ｓ８０３で初期化ガイドの表示を開始すると、Ｓ８０４へ進む。
【００５９】
Ｓ８０４では、動画像データのカレントスロットに装着されている着脱可能記録媒体への記録が終了したか否かを判定する。記録の終了は、ユーザによる操作部２２に対する記録停止指示操作、電源をＯＦＦにする操作、再生モードに移行する操作、電池の消耗、着脱可能記録媒体の記録可能容量不足などに基づいて行われる。記録が終了していないとＳ８０１へ進み処理を繰り返し、記録が終了したと判定すると記録中処理を終了する。
【００６０】
以上説明した各処理により、本体に現在設定されている放送方式では記録できない着脱可能記録媒体が装着された場合には初期化ガイドを表示する。特に記録待機中や起動時においては、初期化ガイドによってこのままでは撮影した動画像データを記録できないことをユーザに認識させることができる。従ってユーザは、装着された着脱可能記録媒体を取り替える、初期化する、本体に設定された放送方式を切り替えるといった操作をする機会を記録開始前に得ることができ、撮影したい場面で想定外に動画記録に失敗する可能性を低減できる。
【００６１】
また、着脱可能記録媒体の着脱に応じて、本体に現在設定されている放送方式での記録が可能な着脱可能記録媒体が装着された記録媒体Ｉ／Ｆを自動的にカレントスロットに設定するため、ユーザがカレントスロットを手動で切り替えるという操作が不要となる。すなわち現在のカレントスロットにどのような着脱可能記録媒体が装着されているかをユーザが意識しなくとも、動画記録に失敗する可能性を低減することができる。
【００６２】
なお、本発明は放送方式を例にとって説明したが、放送方式に限らず、動画像データを記録する記録方式が着脱可能記録媒体毎に定義されている場合にも適用可能である。すなわち、動画記録装置本体にこれから記録する動画像データの記録方式として設定されている記録方式と、着脱可能記録媒体に定義されている記録方式とを比較する場合に適用可能である。放送方式以外の記録方式の例として、例えば、ＭＰＥＧ２とＡＶＣＨＤといった動画フォーマットがある。着脱可能記録媒体に記録可能な動画フォーマットが定義されている場合に、定義されている動画フォーマットが、動画記録装置でこれから記録する動画フォーマットとして設定されているものと一致しているか否かの判定行う。そして上述の放送方式の場合と同様に、一致していない場合に着脱可能記録媒体に定義されている動画フォーマットを変更する初期化を促すガイドを表示する。また、カレントスロットでは一致しておらず、セカンダリスロットで一致している場合に自動的にカレントスロットを切り替える。
【００６３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。制御部１０が行うものとして説明した制御は１つのハードウェアが行ってもよいし、複数のハードウェアが処理を分担することで、装置全体の制御を行ってもよい。
【００６４】
また、上述した実施形態においては、本発明をデジタルビデオカメラに適用した場合を例にして説明したが、これはこの例に限定されない。動画撮影可能なデジタルカメラやデジタル一眼レフカメラに適用可能である。また、撮像手段を有しない動画記録装置であっても適用可能であり、例えばテレビ放送を録画可能な機器や、外部機器から入力された動画像データを録画可能な機器に適用してもよい。
【００６５】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2011211568.tif 000003
【図２】
2011211568.tif 000004
【図３】
2011211568.tif 000005
【図４】
2011211568.tif 000006
【図５】
2011211568.tif 000007
【図６】
2011211568.tif 000008
【図７】
2011211568.tif 000009
【図８】
2011211568.tif 000010